(57)【要約】【課題】揚送した遊技媒体が流出口から流出されずに残留しても、揚送装置による揚送に悪影響を及ぼすことがない揚送装置を備える遊技機設置島を提供すること。【解決手段】遊技媒体を収容可能なバケット３３３が長手方向に向けて複数取付けられた無端状の回動部材３３４を循環駆動することにより、バケット３３３に収容された遊技媒体を揚送する揚送装置３２５を備え、該揚送装置３２５は、遊技媒体がバケット３３３に流入する流入口３３７と、バケット３３３にて揚送された遊技媒体が該バケット３３３から流出する流出口３３８と、流出口３３８よりもバケット３３３の移動方向の下流側に設けられ、流出口３３８にて流出されずにバケット３３３に残留した遊技媒体を該バケット３３３から流出させるための補助流出口３５０と、を備える。【選択図】    図５
2004305356.tif 000002
【特許請求の範囲】
【請求項１】
複数の遊技機が設置され、前記遊技機の遊技のために使用される遊技媒体を収容可能なバケットが長手方向に向けて複数取付けられた無端状の回動部材を循環駆動することにより、前記バケットに収容された遊技媒体を揚送する揚送装置を備える遊技機設置島であって、
前記揚送装置は、該揚送装置の下部に設けられ、前記遊技媒体が前記バケットに流入する流入口と、
前記揚送装置の上部に設けられ、前記バケットにて揚送された遊技媒体が該バケットから流出する流出口と、
前記流出口よりも前記バケットの移動方向の下流側に設けられ、前記流出口にて流出されずに前記バケットに残留した遊技媒体を該バケットから流出させるための補助流出口と、を備えることを特徴とする遊技機設置島。
【請求項２】
前記補助流出口には、該補助流出口から流出した遊技媒体を再度前記流入口に向けて誘導する誘導部材が設けられている請求項１に記載の遊技機設置島。
【請求項３】
前記補助流出口は、前記揚送装置の本体を構成するとともに、前記バケットと離間するように立設される壁部に形成されており、
前記補助流出口には、前記バケットに残留した遊技媒体を前記補助流出口に向けて案内する案内片が、前記バケットに向けて突出するように設けられている請求項１または２に記載の遊技機設置島。
【請求項４】
前記案内片における少なくとも前記バケット側の先端部は軟質材にて構成されている請求項３に記載の遊技機設置島。
【請求項５】
前記遊技機設置島の下部に配設され、前記遊技媒体を貯留する下部貯留領域と、
前記遊技機設置島の上部に配設され、前記遊技媒体を貯留する上部貯留領域と、を備え、
前記揚送装置の前記流入口は前記下部貯留領域に連通され、前記流出口は前記上部貯留領域に連通されている請求項１〜４のいずれかに記載の遊技機設置島。
【請求項６】
前記補助流出口は、前記回動部材の循環駆動により前記バケットが下方に向けて下降する下降路側に設けられている請求項１〜５のいずれかに記載の遊技機設置島。
【発明の詳細な説明】
【０００１】
【発明の属する技術分野】
本発明は、例えば遊技機としてのパチンコ機等が複数設置される遊技機設置島に関わり、特に、遊技機の遊技のために使用される遊技媒体を収容可能なバケットが長手方向に向けて複数取付けられた無端状の回動部材を循環駆動することにより、前記バケットに収容された遊技媒体を揚送する揚送装置を備える遊技機設置島に関する。
【０００２】
【従来の技術】
従来、この種の揚送装置の一例として、例えば揚送装置の上下に設けられたローラ間に掛け渡されたベルトの外周に、遊技媒体としてのパチンコ球を収容可能な揚送部材としてのバケットが複数取付けられ、前記ローラを回転駆動することによりベルトを回転してバケットを循環移動させることで、揚送装置の下部から流入した遊技媒体としてのパチンコ球を揚送して上部で流出するバケット式の揚送装置等がある（特許文献１参照。）。
【０００３】
【特許文献１】
特開平９−７３４号公報（第４−５頁、第１、４図）
【０００４】
【発明が解決しようとする課題】
しかしながら、上記特許文献１に記載したようなバケット式の揚送装置にあっては、バケットの底面が流出口に向けて下方に傾斜するように形成されており、バケットにて揚送された遊技媒体は揚送装置上部に設けられた流出口においてバケットの底面上を流下して流出口から流出するように構成されているため、例えば流出先の上部タンクが満杯状態でパチンコ球が流出出来ない状態であったり、バケットの移動速度が速すぎる等、何らかの要因で流出口から流出されずに残留して循環する恐れがあった。
【０００５】
このように流出されずに残留したパチンコ球は、バケットが揚送装置の下部にて折返すときにバケットの周囲が開放することによって揚送装置の下部に落下して、揚送装置の下部に溜まってしまうことになり、さらにこれを放置しておくと、バケットが揚送装置の下部にて折返すときに下部に溜まっているパチンコ球と干渉する恐れがあった。このようになると、バケットを循環駆動させる駆動モータ等に負荷がかかって駆動モータが故障するなどして揚送に影響が及び、遊技機設置島内でのパチンコ球の循環が滞って遊技が出来なくなる恐れがあった。このような場合、当該遊技機設置島は閉鎖され、すなわち、設置された遊技機による遊技が不可能な状態となり、遊技機の稼働率が著しく低下することになるため、遊技場が多大な損害を被るといった問題を有していた。
【０００６】
本発明は、このような問題点に着目してなされたもので、揚送した遊技媒体が流出口から流出されずに残留しても、揚送装置による揚送に悪影響を及ぼすことがない揚送装置を備える遊技機設置島を提供することを目的とする。
【０００７】
【課題を解決するための手段】
前記した問題を解決するために、本発明の遊技機設置島は、複数の遊技機が設置され、前記遊技機の遊技のために使用される遊技媒体を収容可能なバケットが長手方向に向けて複数取付けられた無端状の回動部材を循環駆動することにより、前記バケットに収容された遊技媒体を揚送する揚送装置を備える遊技機設置島であって、
前記揚送装置は、該揚送装置の下部に設けられ、前記遊技媒体が前記バケットに流入する流入口と、
前記揚送装置の上部に設けられ、前記バケットにて揚送された遊技媒体が該バケットから流出する流出口と、
前記流出口よりも前記バケットの移動方向の下流側に設けられ、前記流出口にて流出されずに前記バケットに残留した遊技媒体を該バケットから流出させるための補助流出口と、を備えることを特徴としている。
この特徴によれば、揚送した遊技媒体が何らかの要因により流出口から流出されずにバケットに残留しても、流出口を通過したバケットが補助流出口に位置したときに、当該バケットに残留した遊技媒体が流出することになり、これによりバケットに残留した遊技媒体が揚送装置の本体内部に溜まること等が防止されるため、前記残留した遊技媒体により揚送に悪影響が及ぶことを効果的に防止出来る。
【０００８】
本発明の遊技機設置島の前記補助流出口には、該補助流出口から流出した遊技媒体を再度前記流入口に向けて誘導する誘導部材が設けられていることが好ましい。
このようにすれば、補助流出口から流出した遊技媒体は、再度流入口に戻って循環することになるため、流出された遊技媒体を回収する等の手間がかかることがない。
【０００９】
本発明の遊技機設置島の前記補助流出口は、前記揚送装置の本体を構成するとともに、前記バケットと離間するように立設される壁部に形成されており、
前記補助流出口には、前記バケットに残留した遊技媒体を前記補助流出口に向けて案内する案内片が、前記バケットに向けて突出するように設けられていることが好ましい。
このようにすれば、バケットから補助流出口に向けて流出する遊技媒体は、バケットと壁部との間に形成される隙間により流下が阻止されることなく、案内片により補助流出口に向けて案内され、スムーズに補助流出口から流出することになるため、残留した遊技媒体を補助流出口から確実に流出させることが出来る。
【００１０】
本発明の遊技機設置島の前記案内片における少なくとも前記バケット側の先端部は軟質材にて構成されていることが好ましい。
このようにすれば、案内片とバケットとの間に遊技媒体が噛み込まれにくくなるとともに、案内片とバケットとが接触してもバケットが損傷することがないばかりか、接触によって駆動装置に負荷がかかることによる駆動装置の故障の発生を回避出来る。
【００１１】
本発明の遊技機設置島は、前記遊技機設置島の下部に配設され、前記遊技媒体を貯留する下部貯留領域と、
前記遊技機設置島の上部に配設され、前記遊技媒体を貯留する上部貯留領域と、を備え、
前記揚送装置の前記流入口は前記下部貯留領域に連通され、前記流出口は前記上部貯留領域に連通されていることが好ましい。
このようにすれば、遊技機設置島全体の遊技媒体の循環が滞ることを効果的に回避することが出来るため、遊技場が多大な損害を被ることを回避することが出来る。
【００１２】
本発明の遊技機設置島の前記補助流出口は、前記回動部材の循環駆動により前記バケットが下方に向けて下降する下降路側に設けられていることが好ましい。
このようにすれば、補助流出口が流出口よりも上方に設けられることがなく、流出口を揚送装置の最上部に設けることが出来、補助流出口を設けるために揚送装置を高くする必要がないため、揚送装置の高さを極力低くしてコンパクト化を図ることが出来る。
【００１３】
【発明の実施の形態】
以下、図面に基づいて本発明の実施形態を説明すると、まず図１には、本発明の実施例としての遊技機設置島１の内部構造を示す断面図が示されており、該遊技機設置島１は、その前後面に遊技機であるパチンコ機２と、該パチンコ機２において遊技に使用するパチンコ球の貸出を実施させる球貸処理機（図示略）等と、が並設される通常の遊技機設置島である。
【００１４】
遊技機設置島１の略中央上部には、遊技媒体であるパチンコ球が貯留される上部遊技媒体貯留部としての上部タンク３が設けられており、この上部タンク３内に貯留されたパチンコ球は、遊技機設置島１内の長手方向両端部に向かってそれぞれ下方に傾斜するように配設された供給樋４に流入するようになっている。
【００１５】
これら供給樋４には、流下するパチンコ球を各パチンコ機２に供給するための支流樋５が、供給樋４における図中前後側の側板に、流下方向に向かって所定間隔おきに複数配設されており、これら支流樋５に供給されたパチンコ球は、各パチンコ機２の背面に設けられた球タンク６に供給されるようになっている。
【００１６】
供給樋４の下流側端部には、例えばメンテナンス時等において供給樋４内のパチンコ球を後述する下部樋１０Ｌ、１０Ｒ内に流出させる球抜き管７が設けられている。なお、通常時においてはこの球抜き管７内にパチンコ球が流下しないようになっている。
【００１７】
遊技機設置島１内の下部には、パチンコ機２より排出されたアウト球を一時貯留するアウト球タンク８が、パチンコ機２を載置する繕板１３の上面に、各パチンコ機２に対応するように複数設けられている。
【００１８】
また、上部タンク３内部に貯留されるパチンコ球が所定量以上となってオーバーフローしたパチンコ球を、遊技機設置島１の下部に設けられている下部遊技媒体貯留部としての下部タンク９Ｒ、９Ｌに導くオーバーフロー樋１２及びオーバーフロー管１８が配設されている。
【００１９】
パチンコ機２を載置する繕板１３の下方には、パチンコ球を貯留する下部タンク９Ｒ、９Ｌがそれぞれ設けられている。下部タンク９Ｒ、９Ｌ内には、図１〜図３に示されるように、球抜き管７及びオーバーフロー管１８から排出されるパチンコ球が流入する下部樋１０Ｒ、１０Ｌが、それぞれ遊技機設置島１における長手方向中央に向かって下方に傾斜するように配設されている。下部樋１０Ｒ、１０Ｌ内を流下するパチンコ球は、流下方向に向かって左右側の側板に複数形成された開口１１（図２参照）、及びその底板における下流側端部所定箇所に形成された開口１４Ｒ、１４Ｌ（図３参照）を介して、下部タンク９Ｒ、９Ｌ内にパチンコ球がほぼ均等に貯留されるように落下される。
【００２０】
このように、下部タンク９Ｒ、９Ｌの内部に貯留するパチンコ球を誘導する下部樋１０Ｒ、１０Ｌは、遊技機設置島１における長手方向中央に配設された揚送装置３２５に向かって下方に傾斜するように配設されているとともに、下部タンク９Ｒ、９Ｌの内部にパチンコ球を落下させる開口１１が下部樋１０Ｒ、１０Ｌの左右側面の長手方向に向かって複数設けられていることで、下部タンク９Ｒ、９Ｌの内部にパチンコ球を偏りなく均等に貯留することができ、これにより下部タンク９Ｒ、９Ｌのパチンコ球の貯留能力が増大するため、遊技機に供給するパチンコ球が不足するなどの事態の発生を効果的に回避することが出来る。
【００２１】
図１中向かって左側の遊技機設置島１の島端には、遊技者が獲得したパチンコ球を計数するための計数装置１５が配設されており、この計数装置１５内に投入されたパチンコ球は、計数装置１５に設けられている球投入口１５ａから連設された排出路１６を介して下部樋１０Ｌに流入し、下部タンク９Ｌ内に排出されて貯留される。
【００２２】
下部タンク９Ｒ、９Ｌ内における下部樋１０Ｒ、１０Ｌの流下方向に向かって左右側には、図２、図３に示されるように、各アウト球タンク８から排出されるパチンコ球を回収する側部樋１７Ｒ、１７Ｌが並設されている。
【００２３】
各下部タンク９Ｒ、９Ｌと揚送装置３２５との間には、図１〜図４に示されるように、上面が開口する有底箱状をなすとともに、底面が遊技機設置島１の中央方向に向かって下方に傾斜する貯留タンク２００Ｒ、２００Ｌが設けられている。
【００２４】
側部樋１７Ｒ、１７Ｌの下流側端部は、前記貯留タンク２００Ｒ、２００Ｌ内まで延設されていて、側部樋１７Ｒ、１７Ｌ内に回収されたパチンコ球は、下部タンク９Ｒ、９Ｌ内に貯留されることなく、直接貯留タンク２００Ｒ、２００Ｌ内に自然流下するようになっている。なお、側部樋１７Ｒ、１７Ｌからパチンコ球が溢れたときには下部樋１０Ｒ、１０Ｌを介して下部タンク９Ｒ、９Ｌ内に貯留される。
【００２５】
ここで、図１中の遊技機設置島１における揚送装置３２５の左側下部の内部構成及び配置された各部位の構造を説明すると、貯留タンク２００Ｌの下流側側板には、遊技媒体清浄装置としての清浄装置５０側へパチンコ球を誘導する中継樋２４Ｌが接続されている。
【００２６】
下部タンク９Ｌの揚送装置３２５側には、下部タンク９Ｌに貯留されているパチンコ球を貯留タンク２００Ｌに揚送する第２の揚送装置としてのミニリフト２１０Ｌが、前後の側部樋１７Ｌ、１７Ｌ（下部樋１０Ｌの両側に配設されている）に挟まれるようにして設けられているとともに、ミニリフト２１０Ｌのさらに揚送装置３２５側には、ミニリフト２１０Ｌから揚送されたパチンコ球を一時的に貯留する下部遊技媒体貯留部としての揚送タンク２００ａＬが設けられている。
【００２７】
ミニリフト２１０Ｌが駆動されることにより、下部タンク９Ｌにおけるミニリフト２１０側の側板下部に形成された流出口３００Ｌから流出される下部タンク９Ｌ内のパチンコ球を揚送して、揚送装置の上部に設けられる排出口２３８（図４参照）から揚送タンク２００ａＬに排出し、その後に貯留タンク２００Ｌ内に流下するとともに、非駆動状態においては下部タンク９Ｌ内のパチンコ球を揚送して貯留タンク２００Ｌに排出することはないので、ミニリフト２１０Ｌは下部タンク９Ｌからのパチンコ球の排出量を調節する役割を果たしている。
【００２８】
揚送タンク２００ａＬは、上流側の側板がミニリフト２１０Ｌと密着するようにして設けられているとともに、前後の側板には、揚送タンク２００ａＬ内のパチンコ球を貯留タンク２００Ｌ内に流出させるための通孔２０１（図４参照）が設けられている。これにより、下部タンク９Ｌからミニリフト２１０Ｌにより揚送されたパチンコ球は揚送タンク２００ａＬへ排出され、通孔２０１を通過して貯留タンク２００Ｌ内に流出した後（図４参照）、貯留タンク２００Ｌの底壁に設けられたガイド板２１１により下流側の側板に形成された連通口２３Ｌに向けて案内され、連通口２３Ｌから流出して案内樋２８Ｌ、中継樋２４Ｌを経由して清浄装置５０内に案内されるようになっている。
【００２９】
清浄装置５０の清浄能力を超える量のパチンコ球が清浄装置５０に向けて流出され、清浄装置５０内にパチンコ球が流入しきれなくなった場合、案内樋２８Ｌ、中継樋２４Ｌ、貯留タンク２００Ｌ内に滞留することになる。その状態でミニリフト２１０Ｌが駆動してパチンコ球が揚送タンク２００ａＬ内に排出されると、通孔２０１から揚送タンク２００ａＬ内へパチンコ球が流出することはないので、揚送タンク２００ａＬ内にパチンコ球が貯留されていく。
【００３０】
揚送タンク２００ａＬ内には、遊技媒体検出手段としての揚送タンク満タン検出センサ２０２Ｌ、及び揚送タンク空検出センサ２０３Ｌが設けられており、揚送タンク２００ａＬ内にパチンコ球が揚送タンク満タン検出センサ２０２Ｌの位置まで貯留されるとミニリフト２１０Ｌの揚送が停止されるようになっている。また、パチンコ球の量が揚送タンク空検出センサ２０３Ｌに接触しない位置まで低減した場合には、ミニリフト２１０Ｌが駆動して下部タンク９Ｌからのパチンコ球の揚送を開始するようになっている。
【００３１】
以上、遊技機設置島１内部における揚送装置３２５の図中左側に配設された貯留タンク２００Ｌ、ミニリフト２１０Ｌ、揚送タンク２００ａＬの構造及び構成について説明してきたが、遊技機設置島１内部における揚送装置３２５の図中右側に配設された貯留タンク２００Ｒ、ミニリフト２１０Ｒ、揚送タンク２００ａＲの構造は、前記貯留タンク２００Ｌ、ミニリフト２１０Ｌ、揚送タンク２００ａＬと同様のため、詳細な説明は省略するものとする。
【００３２】
但し、貯留タンク２００Ｒと揚送装置３２５との間には、後述する清浄装置５０が配設されている点が、遊技機設置島１内部における揚送装置３２５の図中左側の配置構成とは異なっているが、下部タンク９Ｒ、９Ｌからミニリフト２１０Ｒ、２１０Ｌにより揚送された後、揚送タンク２００ａＲ、２００ａＬ、貯留タンク２００Ｒ、２００Ｌ及び中継樋２４Ｌ、２４Ｒ、案内樋２８Ｌ、２８Ｒを通って清浄装置５０に流入するという点で、パチンコ球の循環経路は同一の構成であると言える。
【００３３】
次に図５には、本実施例に適用された揚送装置３２５が示されている。揚送装置３２５の外形を構成する上下方向に延びる縦長の箱体３３０内には、特に図５（ａ）、（ｂ）に示されるように、駆動歯車３３１が上部に回動自在に設けられているとともに、従動回転体３３２が下部に回動自在に設けられており、これら駆動歯車３１と従動回転体３３２とには、特に図５（ｃ）に示されるように、所定量のパチンコ球を収容可能な揚送部材としてのバケット３３３がリベット３３６を介して外面に複数取り付けられた無端状のタイミングベルト３３４が掛け渡されている。駆動歯車３３１、従動回転体３３２には、バケット３３３をタイミングベルト３３４に止めるリベット３３６との接触を回避するための環状の溝部Ｍがそれぞれ２箇所ずつ形成されている。
【００３４】
本実施例における揚送装置３２５は、図５（ａ）に示されるように、後述する駆動モータ３３５の駆動により駆動歯車３３１が図中反時計回りに回転することにより、駆動歯車３３１と従動回転体３３２とに掛け渡されたタイミングベルト３３４が反時計回りに回転（循環）するようになっており、駆動歯車３３１と従動回転体３３２との間でバケット３３３が上昇する側（図中右側）がバケットの上昇路となっており、駆動歯車３３１と従動回転体３３２との間でバケット３３３が下降する側（図中左側）がバケットの下降路となっている。
【００３５】
バケット３３３は、合成樹脂材により形成されており、特に図５（ｃ）、（ｄ）に示されるように、タイミングベルト３３４の外周面に取付けるための取付板３３３ａと、取付板３３３ａの下端から外方に向けて連設される底面板３３３ｂと、取付板３３３ａ及び底面板３３３ｂの両側面に取付けられる側面板３３３ｃと、を有し、これら取付板３３３ａ、底面板３３３ｂ、側面板３３３ｃに囲まれた収容部内には、適宜数量のパチンコ球を収容することが出来るように構成されている。
【００３６】
図５（ｃ）に示されるバケット３３３は、前記上昇路側のバケット３３３であり、該バケット３３３の底面板３３３ｂは、取付板３３３ａ側から外方に向けて上方に傾斜するように形成されており、該底面板３３３ｂの先端は上方に向けて屈曲されており、揚送するパチンコ球の先端部からの落下が防止されている。
【００３７】
また、側板３３３ｃの下端辺部は、底面板３３３ｂの下面となる傾斜面３３３ｄよりも若干（例えば約２ｍｍ程度）下方に延出するように形成されている。これは、後述するように当該バケット３３３よりも下方、すなわち、バケット３３３の移動方向下流側のバケット３３３から流出されたパチンコ球の傾斜面３３３ｄの左右側からの落下を防止するためのものである。このように構成されるバケット３３３は、無端状のタイミングベルト３３４の長手方向に向けて所定間隔おきに複数取付けられている。
【００３８】
図５（ｃ）に示されるように、タイミングベルト３３４の内面は駆動歯車３３１の刃部に噛合するように凹凸状に形成されており、箱体３３０の上部外方に固設される駆動モータ３３５が駆動して駆動歯車３３１が回転することにより、その回転力がタイミングベルト３３４に伝達され、タイミングベルト３３４が図５（ａ）に示されるように回転し、箱体３３０の下部に形成されるパチンコ球の流入口３３７から流入するパチンコ球が回転してきた空のバケット３３３内に所定量ずつ収容されて揚送され、箱体３３０の上部に形成される流出口３３８から上部タンク３（図１参照）内に流出するようになっている。また、流出口３３８の下方には、該流出口３３８から流出されなかったパチンコ球を流出させるための補助流出口３５０が形成されている。
【００３９】
なお、本実施例における流入口３３７は、詳しくは箱体３３０における前記上昇路側のバケット３３３の先端側と対向する上昇路側壁部３３０ａ（壁部）の下部に形成されているとともに、流出口３３８は、箱体３３０における前記下降路側のバケット３３３の先端側と対向する下降路側壁部３３０ｂの上部に形成されており、補助流出口３５０は、箱体３３０における前記下降路側のバケット３３３の先端側と対向する下降路側壁部３３０ｂ（壁部）の略中間位置、すなわち、前記流出口３３８よりも下方に形成されている。
【００４０】
また、箱体３３０は、無端状に掛け渡されたタイミングベルト３３４の外周に取付けられた複数のバケット３３３を四方から囲むように立設された壁部にて構成されており、各バケット３３３における左右の側板３３３ｃ及び底面板３３３ｂの先端部と箱体３３０の四方の壁部内面との間には、１個のパチンコ球の直径よりも小寸の隙間が設けられ、バケット３３３と壁部とが干渉しないようになっているとともに、この隙間からのパチンコ球の落下が防止されている。
【００４１】
流入口３３７には、後述する清浄装置５０の排出樋２６の下流側端部が接続されており、下部タンク９Ｌ、９Ｒや貯留タンク２００Ｌ、２００Ｒから清浄装置５０に流入し、該清浄装置５０にて清浄された後に排出されたパチンコ球が流入するようになっている。流出口３３８は、上部タンク３内に設けられており、流出したパチンコ球、すなわち、揚送装置３２５にて揚送されたパチンコ球は上部タンク３内に貯留されるようになっている。
【００４２】
補助流出口３５０からは、該補助流出口３５０から流出するパチンコ球が前記貯留タンク２００Ｌ内に落下して貯留されるように誘導する誘導樋３５１が外方に向けて延設されており、流出したパチンコ球がそのまま循環経路の一部となる貯留タンク２００Ｌに返還されるようになっている。
【００４３】
また、補助流出口３５０には、図５及び図９に示されるように、下降してきたバケット３３３の傾斜面３３３ｄ上にあるパチンコ球を補助流出口３５０に向けて案内する案内片３５２が、下降路側壁部３３０ｂ内面からバケット３３３に向けて突出するように設けられている。
【００４４】
従動回転体３３２は、箱体３３０内下部に昇降自在に設けられた移動体３３９の下端に回転自在に設けられており、外方から操作可能に設けられたレバー３４０を介して移動体３３９を上昇させることによりタイミングベルト３３４を取外し出来るようになっている。
【００４５】
詳しくは、移動体３３９は、その所定箇所に固定されたネジ３４２が箱体３３０所定箇所に形成された上下方向を向く長孔３４１内に摺動自在に挿通されていることにより上下方向に移動自在に案内されているとともに、一端が箱体３３０内所定箇所に係止された引張りバネ３４３の他端が係止されて常時上方に付勢されている。移動体３３９の上方には、レバー３４０が回転軸３４４を中心に回動自在に設けられており、図５（ｂ）に示されるようにレバー３４０を上下方向を向く位置に保持した際に、レバー３４０の下端に形成されたローラ３４５により移動体３３９の上端が下方に押圧されて下降して下限位置に保持され、レバー３４０を手前側に回動させた際には、ローラ３４５による押圧状態が解除されて移動体３３９が引張りバネ３４３の作用により上昇する。
【００４６】
このように、レバー３４０の操作により従動回転体３３２を昇降させて箱体３３０の側板の一部を取り外すことにより、タイミングベルト３３４を容易に取り外すことが出来るように構成されているため、バケット３３３の破損やタイミングベルト３３４の交換等、種々のメンテナンスを容易に行うことが出来る。
【００４７】
このように構成される揚送装置３２５によって、後述する清浄装置５０により清浄されたパチンコ球を遊技機設置島１の上部の上部タンク３まで揚送する場合、清浄されたパチンコ球はバケット３３３内に収容された状態で揚送されるので、例えばスクリューコンベア式やスプロケット式等の他の揚送装置のように、揚送されるパチンコ球が揚送中に他の部材等に接触することがない。よって、清浄されたパチンコ球を汚すことなく、また、接触により帯電させることなく揚送出来る。
【００４８】
なお、このように構成された揚送装置３２５による揚送状況等に関する詳細は後述することとする。
【００４９】
また、図６に示すように、前記下部タンク９Ｒ、９Ｌの下端側に設けられているミニリフト２１０Ｒ、２１０Ｌは、長さや幅等の規模は異なるものの、上記揚送装置３２５とほぼ同様に構成されているため、内部の詳細な部位には揚送装置３２５の部位を示す符号から１００を減算した符号を付すことにより、ここでの詳細な説明は省略するものとする。
【００５０】
このように、前記ミニリフト２１０Ｒ、２１０Ｌの排出口２３８から排出されたパチンコ球を貯留する下部遊技媒体貯留部としての揚送タンク２００ａＲ、２００ａＬが、ミニリフト２１０Ｒ、２１０Ｌの排出口２３８と清浄装置５０の案内樋２８Ｒ、２８Ｌとの間に配設されるとともに、清浄装置５０へパチンコ球を流出させる通孔２０１を有することで、ミニリフト２１０Ｒ、２１０Ｌによるパチンコ球の揚送状態に影響されることなく、清浄装置５０に安定的にパチンコ球が供給されるようになる。
【００５１】
案内樋２８Ｒ、２８Ｌ内に流入したパチンコ球は、後述する遊技媒体清浄装置としての清浄装置５０内に流入して清浄された後に排出樋２６から流出し、遊技機設置島１内の略中央部に設けられた揚送装置３２５を介して揚送され、再び上部タンク３内に貯留される。このようにして遊技機設置島１内のパチンコ球は循環するようになっている。
【００５２】
このように、遊技機設置島１内に配設される供給樋４、支流樋５、下部樋１０Ｒ、１０Ｌ、オーバーフロー樋１２、オーバーフロー管１８、側部樋１７Ｒ、１７Ｌ、貯留タンク２００Ｒ、２００Ｌ、中継樋２４Ｒ、２４Ｌ、案内樋２８Ｒ、２８Ｌ、排出樋２６や、上部タンク３、下部タンク９Ｌ、９Ｒ、貯留タンク２００Ｌ、２００Ｒ、及びパチンコ機２や後述する清浄装置５０、そして揚送装置２３５等は、遊技機設置島１内においてパチンコ機２に補給するパチンコ球を循環させるための循環経路を構成している。
【００５３】
また、遊技機設置島１内には、揚送装置３２５及びミニリフト２１０Ｒ、２１０Ｌを制御する揚送装置制御手段としての制御装置（図示略）が設けられている。この制御装置には、揚送装置３２５、ミニリフト２１０Ｌ、２１０Ｒが接続されているとともに、前記上部タンク３、下部タンク９Ｒ、９Ｌ、揚送タンク２００ａＲ、２００ａＬ内に設けられた各種のセンサが接続されており、各種センサからの検出状況に基づいてパチンコ球の貯留状況を把握し、これに基づいて揚送装置３２５やミニリフト２１０Ｌ、２１０Ｒの駆動制御を行うようになっている。
【００５４】
詳しくは図１に示されるように、上部タンク内には、上部タンク３の満タンを検出する上部タンク満タン検出センサ２０４と、上部タンク３の空状態を検出する上部タンク空検出センサ２０５とが設けられている。左側の下部タンク９Ｌには、下部タンク９Ｌの満タンを検出する左下部タンク満タン検出センサ２０６と、下部タンク９Ｌの空状態を検出する左下部タンク空検出センサ２０７とが設けられている。右側の下部タンク９Ｒには、下部タンク９Ｒの満タンを検出する右下部タンク満タン検出センサ２０８と、下部タンク９Ｌの空状態を検出する右下部タンク空検出センサ２０９とが設けられている。左側の貯留タンク２００Ｌ内に設けられている揚送タンク２００ａＬ内には、左揚送タンク２００ａＬの満タンを検出する左揚送タンク満タン検出センサ２０２Ｌと、左揚送タンク２００ａＬの空状態を検出する左揚送タンク空検出センサ２０３Ｌとが設けられている。右側の貯留タンク２００Ｒ内に設けられている揚送タンク２００ａＲ内には、右揚送タンク２００ａＲの満タンを検出する右揚送タンク満タン検出センサ２０２Ｒと、右揚送タンク２００ａＲの空状態を検出する右揚送タンク空検出センサ２０３Ｒとが設けられている。
【００５５】
前記制御装置には、遊技機設置島１内に設けられている各揚送装置、各タンク内に設けられている前記各種センサが接続されていて、各タンク内におけるパチンコ球の貯留状況に応じて前述したミニリフト２１０Ｒ、２１０Ｌや揚送装置３２５やミニリフト２１０Ｒ、２１０Ｌの駆動を制御してパチンコ球を揚送し、循環させるようになっているとともに、通信ユニットを介してホールコンピュータなどの管理装置等に接続されるようになっていて、例えば、揚送装置３２５やミニリフト２１０Ｒ、２１０Ｌ等が停止した場合に停止した旨を前記管理装置等に送信するようになっている。
【００５６】
また、側部樋１７Ｒ、１７Ｌに回収されるパチンコ球が下部タンク９Ｒ、９Ｌ内に貯留されているパチンコ球よりも優先して清浄装置５０内に流入して清浄された後に揚送装置３２５により揚送されるようになっている。すなわち、パチンコ機２にて遊技に使用されて排出されたパチンコ球が優先的に清浄されるのである。そして、上部タンク３内におけるパチンコ球の貯留量が少なくなった場合等においてミニリフト２１０Ｒ、２１０Ｌ等を駆動してパチンコ球が貯留されている下部タンク９Ｒ、９Ｌからパチンコ球を上部タンク３内に揚送する。
【００５７】
なお、本実施例における遊技機設置島１は、上部タンク３や下部タンク９Ｒ、９Ｌ内部に貯留されたパチンコ球のみを制御により循環して使用するいわゆる独立式の遊技機設置島台であるが、例えば遊技場内に並設される他の遊技機設置島台と上部タンク同士を適宜連結樋等により連結して、他の遊技機設置島台間でパチンコ球の貯留量の調整を行えるようにしても良い。また、遊技者が獲得したパチンコ球を計数する計数装置が各パチンコ機２に対応して設けられ、各遊技機設置島台内においてパチンコ球を循環使用することが可能に構成されたユニット式の遊技機設置島台であってもよい。
【００５８】
次に、図７に基づいて、本発明実施例としての遊技媒体を清浄する清浄装置としての清浄装置５０の構成及び作用を簡単に説明する。
【００５９】
本実施例における清浄装置５０は、清浄装置本体の上部に水平方向に設けられるとともに、上面に清浄シートＳが交換可能に敷設された揺動板５２を、揺動モータ５９により水平方向に揺動（偏心回転）させることにより、清浄シートＳ上に載置されたパチンコ球と清浄シートＳとを摺接させて、パチンコ球の表面に付着した汚れを清浄するように構成されている。
【００６０】
具体的には、前記揺動板５２は、清浄装置本体内部に設けられた揺動モータ５９の駆動軸６０に偏心して固着された偏心部材６４に、ベアリング６６を介して摺動自在に連係されており、駆動軸６０が回転することで、偏心部材６４が駆動軸６０周りに偏心回転し、この偏心回転作用により揺動板５２全体が、水平方向に偏心回転するようになっている。この揺動板５２の偏心回転により、その上面に敷設された清浄シートＳと、その上部に載置されるパチンコ球とが摺接して清浄されることになる。
【００６１】
この揺動板５２上には、前記中継樋２８Ｌ、２８Ｒが設けられており、これら中継樋２８Ｌ、２８Ｒ間に形成された落下口８０からパチンコ球が落下して清浄シートＳ上に流入するようになっている。また、特に図示しないが、揺動板５２の周囲はパチンコ球の落下を防止する落下防止部材が設けられており、この落下防止部材にて囲まれた領域が清浄領域とされているとともに、落下防止部材の一部は切り欠かれており、清浄されたパチンコ球を排出樋２６に排出するための排出部が形成されている。
【００６２】
このように中継樋２８Ｌ、２８Ｒを流下して落下口８０から落下して、清浄領域の略中心位置に流入したパチンコ球は、揺動板５２が水平方向に高速で偏心回転することにより、シート部材Ｓ上のパチンコ球が自転してその表面がシート部材Ｓに擦りつけられて清浄されることになるとともに、パチンコ球は清浄されながら清浄領域内を周回しながら外周方向に移動し、前記排出部から排出樋２６に排出されるようになっている。
【００６３】
なお、上記清浄シートＳは、図中に示される巻取モータ１０４が定期的に駆動することにより、適宜新規な清浄シートＳに交換されるようになっている。
【００６４】
なお、清浄部材としてのシート部材Ｓは、パチンコ球の表面に付着された汚れを除去し得るものであれば材質は上記のような布製の不織布に限定されるものではなく、例えば織布や、紙等の他の素材からなるシート部材を使用することも可能である。
【００６５】
さらに、本実施例における清浄装置５０は、清浄シートＳが敷設された揺動板５２が偏心回転することで、その偏心回転作用にてパチンコ球の表面に付着された汚れが清浄されるように構成されていたが、本発明においては、このような清浄装置５０に限定されるものではなく、いわゆる従来公知の清浄装置、例えば、パチンコ球を移送しながら清浄シートに擦り付けて清浄する清浄装置や、粒状のペレットを混入してペレットとパチンコ球とを摺接させることで清浄する清浄装置等、種々の清浄装置を適用可能である。
【００６６】
次に、前述した揚送装置３２５の使用状況を、図５及び図８、図９に基づいて説明する。
【００６７】
図５（ａ）に示されるように、清浄装置５０により清浄され、排出樋２６を流下してきたパチンコ球は、流入口３３７を介して箱体３３０（揚送装置本体）内部に進入し、前記上昇路を移動するバケット３３３内に収容されて揚送されることになる。
【００６８】
上昇路を移動中のバケット３３３は、特に図８に示されるように、底面板３３３ｂの先端が上昇路側壁部３３０ａに向けて上方に傾斜する状態となっているため、内部に収容されたパチンコ球はタイミングベルト３３４側寄りに収容されるとともに、底面板３３３ｂの先端部に形成された上向き片により落下が防止されることになる。
【００６９】
このように上昇路を上昇してきたバケット３３３は、駆動歯車３３１に到達してから、駆動歯車３３１の周面に沿うように円弧状に移動して、該駆動歯車３３１を挟んで上昇路の反対側に位置する下降路まで折返される。このとき、例えばバケット３３３の内部に収容されていたパチンコ球は、バケット３３３の移動による慣性力により流出口３３８側に向けて投げ出されて流出口３３８から流出することになるか、あるいはバケット３３３の移動方向に向けて上流側に隣接するバケット３３３の底面板３３３ｂの傾斜面３３３ｄ上に投げ出され、該傾斜面３３３ｄ上を流下して流出口３３８から流出することになる。このように折返し部から下降路に移動したバケット３３３は下降路を下降していくことになる。
【００７０】
流入口３３７から流入してバケット３３３にて揚送されたパチンコ球は、基本的にはバケット３３３内に収容されて上昇路を上昇した後、駆動歯車３３１を介して折返されて下降路に移動する間にバケット流出口３３８から箱体３３０外部に流出し、上部タンク３内に貯留されることになるが、例えば流出先となるこの上部タンク３に何らかの故障が発生し、内部にパチンコ球が充満して流出口３３８付近までパチンコ球が貯留されて流出口３３８が塞がれていたり、あるいは、前述したようにバケット３３３が折返すことによりパチンコ球が投げ出されたパチンコ球が、下降側壁部３３３ｂ内面に当接してバケット３３３側に跳ね返るなどしてしまい、バケット３３３が流出口３３８を下方に向けて移動する間に流出口３３８から流出されず、図８（ｂ）に示されるパチンコ球Ｔのように、上下のバケット３３３間に保持されて、下降路における流出口３３８よりも下流側に移動してしまうことがある。
【００７１】
図９（ａ）には、このように流出口３３８にて流出されなかったパチンコ球Ｔが示されており、このようにパチンコ球Ｔは、所定のバケット３３３の傾斜面３３３ｄの先端部において、下降路側壁部３３０ｂの内面に当接された状態で下降路を下降することになる。なお、図９（ａ）には１個のパチンコ球のみが残留された状態が示されているが、言うまでもなく複数のパチンコ球が残留した状態で下降することもある。
【００７２】
こうして流出口３３８から流出されずに箱体３３０内に残留したパチンコ球は、下降路を下降する途中において補助流出口３５０に到達した時点で、バケット３３３の外方が開放することになり、これにより、図９（ｂ）中点線で示されるように、下降路側壁部３３０ｂによる当接規制状態が解除された時点で傾斜面３３３ｄ上から落下して誘導樋３５１上に流出されることになるため、揚送されたパチンコ球が、前述したような何らかの要因により流出口３３８から流出されずに残留しても、流出口３３８を通過したバケット３３３が補助流出口３５０に位置したときに、前記上下のバケット３３３間に保持されて箱体３３０内に残留したパチンコ球が箱体３３０外部に流出することになる。
【００７３】
よって、バケット３３３がそのまま下降路を下降して箱体３３０（揚送装置の内部）の下部、すなわち、従動回転体３３２に到達し、従動回転体３３２の周面に沿うように移動し始めることにより、移動方向に向けて隣り合うバケット３３３間が開放するとともに、バケット３３３が壁部内面と離間することによって、バケット３３３間に保持されて下降してきたパチンコ球が箱体３３０の底面に落下して貯留されることが防止されるため、残留したパチンコ球と移動するバケット３３３とが接触するなどして、揚送に悪影響が及ぶことを効果的に防止出来る。
【００７４】
また、図９に示されるように、本実施例における案内片３５２は、軟質のゴム材にて板状に形成されており、誘導樋３５１から流出口３５０の開口周縁にかけて敷設されるとともに、その先端部は、補助流出口３５０の開口下端辺から下降するバケット３３３の底面板３３３ｂの先端部に向けて突出して近接するように設けられている。
【００７５】
このように案内片３５２が補助流出口３５０に設けられていることにより、バケット３３３の傾斜面３３３ｄ上を補助流出口３５０に向けて流下するパチンコ球は、例えば図９（ｂ）中２点鎖線で示されるように、下降してきたバケット３３３の底面板３３３ｄが案内片３５２と並んだときに、底面板３３３ｂの先端部と下降路側壁部３３３ｂ内面との間に形成される隙間により流下が阻止されることなく、案内片３５１により補助流出口３５０に向けて案内され、スムーズに補助流出口３５０から流出することになるため、残留したパチンコ球を補助流出口３５０から確実に流出させることが出来る。
【００７６】
また、案内片３５２が、変形しても元の形状に復帰する弾性復帰力を有する材質（軟質のゴム材）にて構成されることで、例えばタイミングベルト３３４に撓みが生じるなどして、図９（ａ）に示されるように、下降するバケット３３３に接触することがあっても、バケット３３３が損傷することがないため、耐久性を維持出来る。
【００７７】
なお、本実施例における案内片３５２は、その先端部がバケット３３３と当接しない程度に近接するように設けられていたが、このように案内片３５２の先端部が軟質材にて構成されることで、案内片３５２の先端部を例えばバケット３３３の内方に入り込むように設けることが可能となり、例えば図９（ｂ）中２点鎖線で示されるように、バケット３３３と下降路側壁部３３０ｂとの間に大きな隙間が形成されたときでも、パチンコ球を補助流出口３５０よりも下流側に落下させることなく、補助流出口３５０の外部に導いて流出させることが出来る。また、特に案内片３５２は先端部に向けて上方に傾斜する傾斜面状に設けられているため、先端部側に落下したパチンコ球は箱体３３０外部に向けて流出されやすくなる。
【００７８】
さらに案内片３５２は、本実施例においては誘導樋３５１と別体に構成されていたが、例えば誘導樋３５１の一部を補助流入口３５０から内部のバケット３３３に向けて突出させてバケット３３３に近接するように設けてもよい。すなわち、補助流出口３５０から流出したパチンコ球を再度流入口３３７に向けて誘導する誘導部材としての誘導樋３５１と、バケット３３３に残留したパチンコ球を補助流出口３５０に向けて案内する案内片３５２と、を同一の部材にて構成してもよい。
【００７９】
補助流出口３５０から箱体３３０の外部に流出したパチンコ球は、前記誘導樋３５１を介して、図１０に示される遊技機設置島１内のパチンコ球の循環経路の一部を構成する貯留タンク２００Ｌ内に流出することになるため、再び清浄装置５０を介して揚送装置３２５にて上部タンク３まで揚送されることになる。このように補助流出口３３８から流出したパチンコ球を誘導部材としての誘導樋３５１を介して循環経路の一部に返還されることで、流出したパチンコ球を店員等が回収する等の手間をかけずに返還することが出来る。
【００８０】
なお、本実施例においては、補助流出口３３８から流出したパチンコ球を誘導部材としての誘導樋３５１を介して循環経路の一部に返還していたが、本発明にあっては、例えば補助流出口３３８から流出したパチンコ球を循環経路の一部に返還することなく、例えば図１１に示されるように、箱体３３０の外部に着脱自在に設けられた貯留ボックス３６０等に貯留されるようにし、店員等が定期的に該貯留ボックス３６０を回収して貯留されたパチンコ球を循環経路に返還するようにしてもよい。
【００８１】
本実施例における案内片３５２は、軟質のゴム材にて構成されていたが、変形しても元の形状に復帰する弾性復帰力を有するとともに、接触時における衝撃を吸収しうる素材にて構成されていれば、その材質は限定されるものではなく、種々に変形可能である。
【００８２】
本実施例における補助流出口３５０は、下降路における上下方向略中央位置に１箇所のみに形成されていたが、複数箇所に形成されていてもよい。
【００８３】
さらに、流出口３３８と補助流出口３５０との間を所定距離離間して設けることにより、流出口３３８から補助流出口３５０までバケット３３３が移動する間に、パチンコ球が傾斜面３３３ｄにおける傾斜下流側端部まで流下する時間をもたせることが出来るため、補助流出口３５０にて確実に流出させることが出来る。
【００８４】
また、補助流出口３５０は、流出口３３８から、下降路の下部まで下降してきたバケット３３３が従動回転体３３２の周面に沿うように移動して折返す折返し部までの間の下降路の所定箇所に設けられることで、折返し部にて各バケット３３３が下降路側壁部３３０ｂの内面と離間して、各バケット３３３、３３３間が開放する前の段階で箱体３３０の外部に流出することになるため、流出口３３８にて流出されずに残留したパチンコ球が箱体３３０内部に落下して貯留されることを回避出来る。
【００８５】
また、流出口３３８や補助流出口３５０の上下開口幅、すなわち、バケット３３３の移動方向の長さを、複数のバケット３３３を同時に外部に開放させることが可能な大きさに形成することで、パチンコ球を確実に流出させることが出来る。
【００８６】
また、本実施例においては、補助流出口３５０から流出させたパチンコ球を下部貯留領域の一部である貯留タンク２００Ｌに流出して循環経路に返還させるように誘導樋３５１が設けられていたが、循環経路であれば返還先は前記貯留タンク２００Ｌに限定されるものではなく、例えば案内樋２４Ｌや下部タンク９Ｌ等に流出して返還されるようにしてもよい。
【００８７】
さらに、補助流出口３５０は返還先となる貯留タンク２００Ｌの上方に設けられていたため、流出したパチンコ球を自然流下にて循環経路に返還することが出来るため、誘導樋３５１の構造を簡素化出来ることから好ましいが、本発明はこれに限定されるものではなく、例えば補助流出口３５０から流出したパチンコ球を、揚送装置３２５とは別個の揚送装置（図示略）にて揚送して例えば上部タンク３内に返還するようにしてもよい。
【００８８】
また、本実施例における揚送装置３２５は、バケット３３３が上昇する上昇路において底面板３３３ｂの先端部が上方に向けて傾斜し、下降路において底面板３３３ｂの先端部が下方に向けて傾斜するように構成されているため、補助流出口３５０が流出口３３８よりも上方に設けられることがなく、流出口３３８を揚送装置３２５の最上部に設けることが出来、補助流出口３５０を設けるために揚送装置３２５を高くする必要がないため、揚送装置３２５の高さを極力低くしてコンパクト化を図ることが出来ることが好ましいが、本発明はこれに限定されるものではなく、補助流出口３５０は、流出口３３８よりもバケット３３３の移動方向の下流側に設けられていれば、必ずしも流出口３３８よりも下方に設けられていなくてもよい。
【００８９】
詳しくは、例えば、バケット３３３が上昇する上昇路において底面板３３３ｂの先端部が下方に向けて傾斜し、下降路において底面板３３３ｂの先端部が上方に向けて傾斜するように構成された揚送装置（例えば前記特許文献１に記載の従来公知の揚送装置等）の場合においては、バケットが上昇する上昇路側に流出口及び補助流出口を設けることになるとともに、補助流出口は流出口の上方位置に設けられることになり、このように構成された揚送装置も本発明に含まれることになる。
【００９０】
また、ミニリフト２１０Ｌ、２１０Ｒにおいても、図６に示されるように、流入口２３７から流入して揚送されたパチンコ球を、箱体２３０の外部に流出するための流出口２３８とは別に、該流出口２３８にて流出されずに残留したパチンコ球を箱体２３０の外部に流出するための補助流出口２５０が設けられているため、前述してきた揚送装置３２５と同様の作用・効果が得られる。
【００９１】
また、この補助流出口２５０には、流出したパチンコ球を貯留タンク２００Ｌ、２００Ｒに誘導する誘導樋２５１が設けられているため、流出したパチンコ球は、遊技機設置島１の循環経路に返還されることになる。
【００９２】
前記各実施例における各要素は、本発明に対して以下のように対応している。
【００９３】
本発明の請求項１は、複数の遊技機（パチンコ機２）が設置され、前記遊技機の遊技のために使用される遊技媒体（パチンコ球）を収容可能なバケット（３３３）が長手方向に向けて複数取付けられた無端状の回動部材（タイミングベルト３３４）を循環駆動することにより、前記バケットに収容された遊技媒体を揚送する揚送装置（３２５）を備える遊技機設置島（１）であって、
前記揚送装置は、該揚送装置の下部に設けられ、前記遊技媒体が前記バケットに流入する流入口（３３７）と、
前記揚送装置の上部に設けられ、前記バケットにて揚送された遊技媒体が該バケットから流出する流出口（３３８）と、
前記流出口よりも前記バケットの移動方向の下流側（流出口３３８の下方）に設けられ、前記流出口にて流出されずに前記バケットに残留した遊技媒体を該バケットから流出させるための補助流出口（３５０）と、を備える。
【００９４】
本発明の請求項２は、前記補助流出口（３５０）には、該補助流出口から流出した遊技媒体（パチンコ球）を再度前記流入口に向けて誘導する誘導部材（誘導樋３５１）が設けられている。
【００９５】
本発明の請求項３は、前記補助流出口（３５０）は、前記揚送装置（３２５）の本体（箱体３３０）を構成するとともに、前記バケット（３３３）と離間するように立設される壁部（下降路側壁部３３０ｂ）に形成されており、
前記補助流出口（３５０）には、前記バケットに残留した遊技媒体（パチンコ球）を前記補助流出口に向けて案内する案内片（３５２）が、前記バケットに向けて突出するように設けられている。
【００９６】
本発明の請求項４は、前記案内片（３５２）における少なくとも前記バケット（３３３）側の先端部は軟質材（ゴム材）にて構成されている。
【００９７】
本発明の請求項５は、前記遊技機設置島（１）の下部に配設され、前記遊技媒体（パチンコ球）を貯留する下部貯留領域（貯留タンク２００Ｌ、２００Ｒ、下部タンク９Ｌ、９Ｒ）と、
前記遊技機設置島の上部に配設され、前記遊技媒体を貯留する上部貯留領域（上部タンク３）と、を備え、
前記揚送装置の前記流入口（３２７）は前記下部貯留領域に連通され、前記流出口（３３８）は前記上部貯留領域に連通されている。
【００９８】
本発明の請求項６は、前記補助流出口（３５０）は、前記回動部材（タイミングベルト３３４）の循環駆動により前記バケット（３３３）が下方に向けて下降する下降路側（下降路側壁部３３０ｂ）に設けられている。
【００９９】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１００】
例えば、上記実施例における清浄装置５０は、揺動モータ５９により揺動板５２を揺動させて、揺動板５２上のシート部材Ｓと、その上面に載置されるパチンコ球と、を摺接させることによりパチンコ球の表面を清浄する清浄装置であるが、清浄装置はこのように揺動板等の揺動作用によりパチンコ球を清浄部材に摺接させて清浄するものに限定されるものではなく、例えば揺動板等を用いることなく、洗浄液等を使用することによってパチンコ球の表面を清浄するような清浄装置等であってもよい。
【０１０１】
また、本発明請求項中に記載の「遊技媒体」は、上記実施例における球状のパチンコ球に対応しているが、特にこれに限定されるものではなく、例えば遊技機としてのスロットマシン等に使用されるメダル等であってもよい。
【０１０２】
【発明の効果】
本発明は次の効果を奏する。
【０１０３】
（ａ）請求項１の発明によれば、揚送した遊技媒体が何らかの要因により流出口から流出されずにバケットに残留しても、流出口を通過したバケットが補助流出口に位置したときに、当該バケットに残留した遊技媒体が流出することになり、これによりバケットに残留した遊技媒体が揚送装置の本体内部に溜まること等が防止されるため、前記残留した遊技媒体により揚送に悪影響が及ぶことを効果的に防止出来る。
【０１０４】
（ｂ）請求項２の発明によれば、補助流出口から流出した遊技媒体は、再度流入口に戻って循環することになるため、流出された遊技媒体を回収する等の手間がかかることがない。
【０１０５】
（ｃ）請求項３の発明によれば、バケットから補助流出口に向けて流出する遊技媒体は、バケットと壁部との間に形成される隙間により流下が阻止されることなく、案内片により補助流出口に向けて案内され、スムーズに補助流出口から流出することになるため、残留した遊技媒体を補助流出口から確実に流出させることが出来る。
【０１０６】
（ｄ）請求項４の発明によれば、案内片とバケットとの間に遊技媒体が噛み込まれにくくなるとともに、案内片とバケットとが接触してもバケットが損傷することがないばかりか、接触によって駆動装置に負荷がかかることによる駆動装置の故障の発生を回避出来る。
【０１０７】
（ｅ）請求項５の発明によれば、遊技機設置島全体の遊技媒体の循環が滞ることを効果的に回避することが出来るため、遊技場が多大な損害を被ることを回避することが出来る。
【０１０８】
（ｆ）請求項６の発明によれば、補助流出口が流出口よりも上方に設けられることがなく、流出口を揚送装置の最上部に設けることが出来、補助流出口を設けるために揚送装置を高くする必要がないため、揚送装置の高さを極力低くしてコンパクト化を図ることが出来る。
【図面の簡単な説明】
【図１】本発明の実施例としての遊技機設置島台の内部構造を示す断面図である。
【図２】図１のＡ−Ａ断面図である。
【図３】図１の遊技機設置島の要部の内部構造を示す平面図である。
【図４】貯留タンク、揚送タンク、ミニリフトの構成を示す斜視図である。
【図５】（ａ）揚送装置の内部構造を示す縦断面図であり、（ｂ）は（ａ）のＢ−Ｂ断面図であり、（ｃ）は（ｂ）の要部を示す拡大図であり、（ｄ）は（ｃ）のＣ−Ｃ断面図である。
【図６】（ａ）ミニリフトの内部構造を示す縦断面図であり、（ｂ）は（ａ）のＤ−Ｄ断面図であり、（ｃ）は（ｂ）の要部を示す拡大図であり、（ｄ）は（ｃ）のＥ−Ｅ断面図である。
【図７】図１の遊技機設置島に適用された清浄装置を示す断面図である。
【図８】（ａ）（ｂ）は揚送装置の流出口からのパチンコ球の流出状況を示す拡大断面図である。
【図９】（ａ）（ｂ）は揚送装置の補助流出口からのパチンコ球の流出状況を示す拡大断面図である。
【図１０】図１の遊技機設置島内のパチンコ球の循環経路を示す概略図である。
【図１１】揚送装置の変形例を示す図である。
【符号の説明】
１                    遊技機設置島
２                    パチンコ機
３                    上部タンク
９Ｌ、９Ｒ            下部タンク
２００Ｌ、２００Ｒ    貯留タンク
３２５                揚送装置
３３１                駆動歯車
３３２                従動回転体
３３３                バケット
３３４                タイミングベルト
３３５                駆動モータ
３３７                流入口
３３８                排出口
３５０                補助流出口
３５１                誘導樋
【図１】
2004305356.tif 000003
【図２】
2004305356.tif 000004
【図３】
2004305356.tif 000005
【図４】
2004305356.tif 000006
【図５】
2004305356.tif 000007
【図６】
2004305356.tif 000008
【図７】
2004305356.tif 000009
【図８】
2004305356.tif 000010
【図９】
2004305356.tif 000011
【図１０】
2004305356.tif 000012
【図１１】
2004305356.tif 000013